(57)【要約】【課題】簡単な構成で部品点数を増やすことなく、全体を樹脂成形品としても充分な強度を確保出来るスペースを作る事が可能な回転式繰出容器を提供する。【解決手段】回転式繰出し容器は、ネジ棒２０先端に設けた押圧部１６で収容部１２内の内容物１４を軸本体１０前端部１０ａに向けて送り出すものであり、繰出体２２は、前端部に前方に向かう凸部または凹部の有る第１のカム部２６、後端部に繰出体２２前端部を前方に付勢する弾性部２８、内周部に前記ネジ棒２０との相対回転を規制する係合孔３０、および外周部に天冠１８との相対回転を規制するように係合する係合部３２を形成した、天冠１８と別体のものである。【選択図】図１
2009247427.tif 000002
【特許請求の範囲】
【請求項１】
筒状の軸本体内で内容物を収容する収容部と、この収容部内で内容物を押圧する押圧部と、この軸本体後端部に相対回転可能かつ軸方向への移動が規制されて設けられた天冠と、外周に雄ネジ山が形成され先端に押圧部が設けられたネジ棒と、このネジ棒を内周部に挿通した状態で天冠に対して回転方向に固定され、該天冠の軸本体に対する相対回転運動をネジ棒に伝える概略筒状の繰出体と、該ネジ棒外周の雄ネジ山に螺合する雌ネジ山が内周に形成され軸本体に対する軸方向および回転方向に固定されたネジ体とを設け、
天冠の軸本体に対する相対回転運動を前記繰出体によってネジ棒に伝えてネジ棒およびネジ体同士を相対回転させ、それらの雄ネジと雌ネジによってネジ棒をネジ送りして繰出し、これによって、そのネジ棒先端に設けた押圧部で収容部内の内容物を軸本体前端部に向けて送り出すようにした回転式繰出容器において、
繰出体は、前端部に前方に向かう凸部または凹部の有る第１のカム部、後端部に繰出体前端部を前方に付勢する弾性部、内周部に前記ネジ棒との相対回転を規制する係合孔、および外周部に天冠との相対回転を規制するように係合する係合部を形成した、天冠と別体のものであり、
ネジ体に後方に向かう凸部または凹部の有る第２のカム部を形成して、前記繰出体の前端部が弾性部の付勢力によって前方に付勢された状態で第１のカム部が第２のカム部に当接した際に、繰出体とネジ体を相対回転させようとしたときに第１のカム部および第２のカム部同士が係合して一回転方向または両回転方向に回転規制する構成にしたことを特徴とする回転式繰出容器。
【請求項２】
繰出体の外周部の係合部とその係合部に係合する天冠の内周部の係合構造は、繰出体の外周部および天冠の内周部に、互いに対応するリブまたは溝を形成してそれらが係合したときに繰出体および天冠を回転方向に固定し、軸方向に相対移動可能な構成になっていることを特徴とする請求項１に記載の回転式繰出容器。
【請求項３】
ネジ棒は、その外周部を一部切り欠いて異形横断面形状に形成した内部の空洞の無い中実構造であることを特徴とする請求項１または２に記載の回転式繰出容器。
【発明の詳細な説明】
【技術分野】
【０００１】
本発明は、回転操作によって容器内の化粧液等の液体内容物を繰り出す回転式繰出容器に関する。
【背景技術】
【０００２】
回転式繰出容器は、筒状の軸本体の収容部内に液体内容物を収容し、その収容部内でピストンを繰出体によって摺動前進させ、化粧液等の液体内容物を軸本体先端の塗付等に繰り出して使用に供するものである。
【０００３】
従来の回転式繰出容器には、軸本体後端に設けられた天冠を回転させることで円周方向に変形する弾性部を持った繰出体がクリック感を伴いながら回転し、ネジ棒を押し出すことでそのネジ棒先端に取付けられたピストンを前進させ、そのピストンの前進によって内容物を吐出する機構が知られている（例えば特開２００５−２３０１９４号公報：特許文献１）。
【０００４】
また、回転式繰出装置では、軸線方向に変形する弾性部を有すると共にその軸線方向端面にカム部を形成したラチェット体を天冠に対して回転不能かつ前後動可能に軸本体内に配設し、軸本体の後端部に回転可能に設けられかつ天冠内の軸中央付近に異形断面に構成した棒状部を後端内部から前方に向けて一体的に延接したものが開示されている（例えば、特開２００４−８９６８７号公報：特許文献２、特開２００５−２９６６７６号公報：特許文献３）。この繰出装置では、外径部に雄ネジを設けた中空のネジ棒の内径部（前記異形断面に対応した異形断面空間が形成されている）内に前記棒状部を挿通させて、ネジ棒が該棒状部に対して回転不能かつ軸線方向に移動可能な状態にして設けている。また、ネジ棒の先端に本体軸内の内容物を押し出すためのピストンが取付けられている。
【０００５】
この筒状体の雌ネジに前記ネジ棒を螺合させた状態で前記ラチェット体のカム部を筒状体後端面のカム部に噛合わせた状態で配設し、天冠を使用者が回転させることによりネジ棒を回転させて、筒状体の雌ネジによってネジ棒が前進する際にクリック感を伴いながらピストンが前進して内容物を吐出する機構となっている。
【特許文献１】特開２００５−２３０１９４号公報
【特許文献２】特開２００４−８９６８７号公報
【特許文献３】特開２００５−２９６６７６号公報
【発明の開示】
【発明が解決しようとする課題】
【０００６】
しかしながら、前述の従来の回転式繰出容器では、回転方向に弾性変形部を設けることや、中空状のネジ棒内径部に異形棒状体を挿入しなければならないことからネジ棒さらには軸本体や天冠の細径化が難しく、回転式繰出容器全体の太径化を避けられないものであった。
【０００７】
また、上記の細径化に当たっては軸本体や天冠内のスペース的な問題で全体を樹脂成形品とすることができず、金属部品を使用しなければならない等コストアップの要因になっていた。
【０００８】
本発明は、これらの問題点に着目し、簡単な構成で部品点数を増やすことなく、全体を樹脂成形品としても充分な強度を確保出来るスペースを作る事が可能な回転式繰出容器を提供しようとするものである。
【課題を解決するための手段】
【０００９】
本発明は回転式繰出容器に係るものである。
【００１０】
本発明は、筒状の軸本体内で内容物を収容する収容部と、この収容部内で内容物を押圧する押圧部と、この軸本体後端部に相対回転可能かつ軸方向への移動が規制されて設けられた天冠と、外周に雄ネジ山が形成され先端に押圧部が設けられたネジ棒と、このネジ棒を内周部に挿通した状態で天冠に対して回転方向に固定され、該天冠の軸本体に対する相対回転運動をネジ棒に伝える概略筒状の繰出体と、該ネジ棒外周の雄ネジ山に螺合する雌ネジ山が内周に形成され軸本体に対する軸方向および回転方向に固定されたネジ体とを設け、
天冠の軸本体に対する相対回転運動を前記繰出体によってネジ棒に伝えてネジ棒およびネジ体同士を相対回転させ、それらの雄ネジと雌ネジによってネジ棒をネジ送りして繰出し、これによって、そのネジ棒先端に設けた押圧部で収容部内の内容物を軸本体前端部に向けて送り出すようにした回転式繰出容器において、
繰出体は、前端部に前方に向かう凸部または凹部の有る第１のカム部、後端部に繰出体前端部を前方に付勢する弾性部、内周部に前記ネジ棒との相対回転を規制する係合孔、および外周部に天冠との相対回転を規制するように係合する係合部を形成した、天冠と別体のものであり、
ネジ体に後方に向かう凸部または凹部の有る第２のカム部を形成して、前記繰出体の前端部が弾性部の付勢力によって前方に付勢された状態で第１のカム部が第２のカム部に当接した際に、繰出体とネジ体を相対回転させようとしたときに第１のカム部および第２のカム部同士が係合して一回転方向または両回転方向に回転規制する構成にしたことを特徴とする回転式繰出容器である。
【００１１】
本発明において、繰出体の外周部の係合部とその係合部に係合する天冠の内周部の係合構造は、繰出体の外周部および天冠の内周部に、互いに対応するリブまたは溝を形成してそれらが係合したときに繰出体および天冠を回転方向に固定し、軸方向に相対移動可能な構成になっていることが好適である。
【００１２】
また、本発明において、ネジ棒は、その外周部を一部切り欠いて異形横断面形状に形成した内部の空洞の無い構造のものであることが好適である。
【発明の効果】
【００１３】
本発明の回転式繰出容器によれば、繰出体は、前端部に前方に向かう凸部または凹部の有る第１のカム部、後端部に繰出体前端部を前方に付勢する弾性部、内周部に前記ネジ棒との相対回転を規制する係合孔、および外周部に天冠との相対回転を規制するように係合する係合部を形成した、天冠と別体のものとし、ネジ体に後方に向かう凸部または凹部の有る第２のカム部を形成して、前記繰出体の前端部が弾性部の付勢力によって前方に付勢された状態で第１のカム部が前記第２のカム部に当接した際に、繰出体とネジ体を相対回転させようとしたときに第１のカム部および第２のカム部同士が係合して一回転方向または両回転方向に回転規制する構成にした。
【００１４】
したがって、天冠には繰出体係合部と係合して相対回転を規制する構造を設けるのみであり、ネジ棒内に軸体を挿入する構造ではないので、ネジ棒、繰出体、軸本体を太くする必要がないので、天冠や軸本体を細径化でき、軸本体および天冠内スペースを確保できる。よって、簡単な構成で部品点数を増やすことなく、全体を樹脂成形品としても充分な強度を確保できる。
【００１５】
ここで、上記「回転規制」は、回転方向に対して回転自在ではなく有る程度の抵抗を以て回転する場合や、抵抗が大きく回転が重い場合または回転が殆どできず回転が制止される場合まで含むものである。
【００１６】
なお、本発明において、繰出体の外周部の係合部とその係合部に係合する天冠の内周部の係合構造は、繰出体の外周部および天冠の内周部に、互いに対応するリブまたは溝を形成してそれらが係合したときに繰出体および天冠を回転方向に固定し、軸方向に相対移動可能な構成にすれば、簡単な構成で天冠および繰出体間の回り止め構造を形成でき、繰出体を一体成形する際に型抜きがし易い。
【００１７】
また、ネジ棒を内部に空洞のない中実構造にすればネジ棒を細径化しても剛性を確保でき、強度を保持しつつ樹脂成形するのに好都合である等の優れた効果を奏し得る。
【発明を実施するための最良の形態】
【００１８】
以下、本発明の実施形態を、添付図面を参照して説明する。
【００１９】
図１〜図８は本発明の実施形態に係る回転式繰出容器回転の説明図である。
【００２０】
図１（ａ）、（ｂ）は回転式繰出容器のピストンを繰出す前の収容部内後端に位置する状態を示す全体断面図、後部詳細断面図、図２は図１の回転式繰出容器のピストンを繰出した後の収容部内前端に位置する状態を示す全体断面図、図３（ａ）、（ｂ）は軸本体の全体斜視説明図、同断面視説明図、図４（ａ）、（ｂ）、（ｃ）、（ｄ）はピストンの前方斜視図、後方斜視図、側面図、そのＣ−Ｃ線断面図、図５（ａ）、（ｂ）、（ｃ）、（ｄ）はネジ体の前方斜視図、後方斜視図、縦断面図、雌ネジ山形成部の拡大視断面図、図６（ａ）、（ｂ）はネジ棒の全体側面図、Ａ−Ａ線に沿う断面視説明図、図７（ａ）、（ｂ）、（ｃ）、（ｄ）、（ｅ）はネジ棒の前方斜視図、後方斜視図、側面図、そのＣ−Ｃ線断面図、Ｄ方向視図、図８（ａ）、（ｂ）、（ｃ）は天冠の全体斜視説明図、側面視図、縦断面視説明図である。
【００２１】
図１〜図２に示すように、実施形態の回転式繰出容器は、円筒状の軸本体１０内で内容物（化粧液等）１４を収容する収容部１２と、この収容部１２内で内容物１４を押圧するピストンからなる押圧部１６と、この軸本体１０後端部に相対回転可能かつ軸方向への移動が規制されて設けられた後端の閉じた概略筒状の天冠１８と、外周に雄ネジ山２０ａが形成され先端に押圧部１６が設けられたネジ棒２０と、このネジ棒２０を内周部に挿通した状態で天冠１８に対して回転方向に固定され、該天冠１８の軸本体１０に対する相対回転運動をネジ棒２０に伝える概略筒状の繰出体２２と、該ネジ棒２０外周の雄ネジ山２０ａに螺合する雌ネジ山２４ａが内周に形成され軸本体１０に対する軸方向および回転方向に固定されたネジ体２４とを設けている。
【００２２】
回転式繰出し容器は、天冠１８の軸本体１０に対する相対回転運動を前記繰出体２２によってネジ棒２０に伝えてネジ棒２０およびネジ体２４同士を相対回転させ、それらの雄ネジ（雄ネジ山２０ａ）と雌ネジ（雌ネジ山２４ａ）によってネジ棒２０をネジ送りして繰出し、これによって、そのネジ棒２０先端に設けた押圧部１６で収容部１２内の内容物１４を軸本体１０前端部１０ａの塗布体の穂首４０に向けて送り出すようにしたものである。
【００２３】
繰出体２２は、前端部に前方に向かう凸部または凹部の有る第１のカム部２６、後端部に繰出体２２前端部を前方に付勢する弾性部２８、内周部に前記ネジ棒２０との相対回転を規制する係合孔３０、および外周部に天冠１８との相対回転を規制するように係合する係合部３２を形成した、天冠１８と別体のものである（図７参照）。
【００２４】
具体的には、軸本体１０は図１〜図３に示すように、軸方向に見て前端部１０ａが段状に小径になっていて前端部１０ａ内に筒状のパイプ継手３６が先軸３８後部で覆われた状態で嵌入しており、その先軸３８前部内には塗布体として多数の繊維が束ねられた筆先状の穂首４０が挟持されている。また、穂首４０は、連続気泡体からなる筆先の形状や、ゴム製のヘラ状のもの等、内容液の塗布が可能ならば、特に形状は限定しない。
継手３６内から穂首４０に向けて液体誘導用のパイプ４２が挿入されている。そして穂首４０、先軸３８を覆って、前端部１０ａにキャップ４４を嵌着するようになっている。また、後端部は天冠１８が嵌合すると共に、ネジ体２４の後端部の環状の嵌合突起２４ｄが乗り越える内側に突出して環状の嵌合部１０ｂが形成されており、中央内部には、ネジ体２４の溝部２４ｃに嵌入して軸本体１０にネジ体２４を回転方向に固定するため突出するリブ１０ｃが複数軸方向に延びて形成されている。
【００２５】
また、押圧部１６は、図４に示すように断面Ｈ型のピストン体を本体１６ａとしてその本体であって後方に向けて、ネジ棒２０先端部が内側に嵌合する筒状支持部１６ｂが突出形成されている。筒状支持部１６ｂ内は中央部が内方に突出して細径になっていて（嵌入部１６ｃ）、ネジ棒２０先端の突起状またはフランジ状の嵌合部２０ｂがその嵌入部１６ｃを乗り越えて緊密に嵌合する。
【００２６】
ネジ体２４は先端部２４ｂが段状に内径部が厚肉になった概略筒状を呈しその内周部に雌ネジ山２４ａが形成され、前部の外周部に軸方向に延びる溝部２４ｃが形成されている。また、ネジ体２４の先端部２４ｂ内の段状部に後方に向かう凸部または凹部の有る第２のカム部３４を形成している。なお、ネジ体２４の後端部外周部には、軸本体１０に対する抜け止めのための環状突起２４ｄが形成されている。
【００２７】
ネジ体２４は軸方向中央部から後部にかけて薄肉筒状に構成され内部が平坦状であり、内部に同心軸状に繰出体２２を装着している。この装着状態で、前記ネジ体２４の第２のカム部３４に前記繰出体２２の前端部が弾性部２８の付勢力によって前方に付勢された状態で第１のカム部２６が当接した際に、繰出体２２とネジ体２４を相対回転させようとしたときには、第１のカム部２６および第２のカム部３４同士が係合して一回転方向（または両回転方向）に回転許容または回転規制もしくは禁止する構成にしている。
【００２８】
具体的には、図５および図７に示すように、第１のカム部２６および第２のカム部３４は、右回転方向で後方に向かう斜面が形成されまた、左回転方向で切り立った立ち上がり面が形成された山形歯状であり、繰出体２２をネジ体２４に対して右回転させると斜面を登って後方に押され、一方、立ち上がり面で前方に戻るクリック感を生じつつの相対回転を許容し、その逆の左回転をさせると切り立った立ち上がり面同士がぶつかって相対回転を規制または禁止する構成となっている。
【００２９】
繰出体２２は先端部に山形歯状に第１のカム部２６が形成されている他、中央部外周部に軸線方向に延びる突起からなる係合部３２が突出形成されている。後部に弾性部２８が螺旋スプリング状に一体形成されている。
【００３０】
また、図７および図８に示すように、繰出体２２の外周部の係合部３２とその係合部３２に係合する天冠１８の内周部の係合構造は、繰出体２２の外周部の突起状の係合部３２に対応して天冠１８の内周部に、溝部１８ａを形成したものであり、それら係合部３２と溝部１８ａが係合したときに繰出体２２および天冠１８を回転方向に固定し、軸方向に相対移動可能な構成になっている。なお、図８に示すように、天冠１８の先端外周部に環状に軸本体１０の後端部（溝状嵌合部１０ｂ）内に回転自在かつ前後動不能に嵌着する嵌合部１８ｂがほぼフランジ状に形成されている。
【００３１】
また、ネジ棒２０は、図６に示すように、その外周部を一部切り欠いて概略小判形状の異形横断面形状に形成した内部の空洞の無い構造のものであって、繰出体２２の前端内周部の係合孔３０は、前記ネジ棒２０の異形横断面形状に対応した横断面形状であって、ネジ棒２０を挿通させたときにネジ棒２０との相対回転方向に固定し、かつ軸方向に相対移動可能に構成にしたものである。もちろん、ネジ棒２０の切り欠いた箇所以外の箇所は円弧に沿っていて外周面に雄ネジ山２０ａが形成されている。
【００３２】
実施形態の回転式繰出容器によれば、繰出体２２は、前端部に前方に向かう凸部または凹部の有る第１のカム部２６、後端部に繰出体２２前端部を前方に付勢する弾性部２８、内周部に前記ネジ棒２０との相対回転を規制する係合孔３０、および外周部に天冠１８との相対回転を規制するように係合する係合部３２を形成した、天冠１８と別体のものとし、ネジ体２４の段状部に後方に向かう凸部または凹部の有るカム部３４を形成して、前記ネジ体２４の段状部に前記繰出体２２の前端部が弾性部２８の付勢力によって前方に付勢された状態で第１のカム部２６が第２のカム部３４に当接した際に、繰出体２２とネジ体２４を相対回転させようとしたときに第１のカム部２６および第２のカム部３４同士が係合して一回転方向または両回転方向に回転規制する構成にしたので、天冠１８には繰出体２２係合部３２と係合して相対回転を規制する構造を設けるのみであり、ネジ棒２０内に軸体を挿入する構造ではないので、ネジ棒２０、繰出体２２、軸本体１０を太くする必要がないので、天冠１８や軸本体１０を細径化でき、軸本体１０および天冠１８内スペースを確保できる。したがって、簡単な構成で部品点数を増やすことなく、全体を樹脂成形品としても充分な強度を確保出来るスペースを作る事が可能となる。
【００３３】
また、繰出体２２の外周部の係合部３２とその係合部３２に係合する天冠１８の内周部の係合構造は、繰出体２２の外周部および天冠１８の内周部に、互いに対応するリブまたは溝を形成してそれらが係合したときに繰出体２２および天冠１８を回転方向に固定し、軸方向に相対移動可能な構成にすれば、簡単な構成で天冠１８および繰出体２２間の回り止め構造を形成できる。
【００３４】
また、ネジ棒２０を内部に空洞のない中実構造にすればネジ棒２０を細径化しても剛性を確保でき、強度を保持しつつ樹脂成形するのに好都合である等の優れた効果を奏し得る。
【図面の簡単な説明】
【００３５】
【図１】（ａ）、（ｂ）は回転式繰出容器のピストンを繰出す前の収容部内後端に位置する状態を示す全体断面図、後部詳細断面図である。
【図２】図１の回転式繰出容器のピストンを繰出した後の収容部内前端に位置する状態を示す全体断面図である。
【図３】（ａ）、（ｂ）は軸本体の全体斜視説明図、同断面視説明図である。
【図４】（ａ）、（ｂ）、（ｃ）、（ｄ）はピストンの前方斜視図、後方斜視図、側面図、そのＣ−Ｃ線断面図である。
【図５】（ａ）、（ｂ）、（ｃ）、（ｄ）はネジ体の前方斜視図、後方斜視図、縦断面図、雌ネジ山形成部の拡大視断面図である。
【図６】（ａ）、（ｂ）はネジ棒の全体側面図、Ａ−Ａ線に沿う断面視説明図である。
【図７】（ａ）、（ｂ）、（ｃ）、（ｄ）、（ｅ）は繰出体の前方斜視図、後方斜視図、側面図、そのＣ−Ｃ線断面図、Ｄ方向視図である。
【図８】（ａ）、（ｂ）、（ｃ）は天冠の全体斜視説明図、側面視図、縦断面視説明図である。
【符号の説明】
【００３６】
１０  軸本体
１０ａ  軸本体の前端部
１２  収容部
１４  内容物
１６  押圧部
１６ａ  本体
１６ｂ  筒状支持部
１６ｃ  嵌入部
１８  天冠
１８ａ  溝部
１８ｂ  嵌合部
２０  ネジ棒
２０ａ  雄ネジ山
２０ｂ  突起状嵌合部
２２  繰出体
２４  ネジ体
２４ａ  雌ネジ山
２４ｂ  先端部
２４ｃ  溝部
２４ｄ  環状突起部
２６  第１のカム部
２８  弾性部
３０  係合孔
３２  係合部
３４  第２のカム部
３６  継手
３８  先軸
４０  穂首
４２  パイプ
４４  キャップ
【図１】
2009247427.tif 000003
【図２】
2009247427.tif 000004
【図３】
2009247427.tif 000005
【図４】
2009247427.tif 000006
【図５】
2009247427.tif 000007
【図６】
2009247427.tif 000008
【図７】
2009247427.tif 000009
【図８】
2009247427.tif 000010